(57)【要約】【課題】寝たきりで腕や肩を動かすことが困難な場合や、骨折、五十肩、関節痛、筋肉痛などを患い肩や腕が硬直している場合など、肩や腕を動かし難い状況でも、容易に着脱することが可能な衣服を提供することを課題とする。【解決手段】襟ぐり３ａから裾口３ｂに至るフロントオープンファスナ１１により前開き可能な胴部１と、胴部１に取り付けられた左右一対の袖部２，２とを備える衣服Ｃであって、袖部２は、襟ぐり３ａから袖部２を通って袖口３ｃに至る袖オープンファスナ２１により開閉可能である。【選択図】図１
0003233336.tif 000002
【実用新案登録請求の範囲】
【請求項１】
襟ぐりから裾口に至るフロントオープンファスナにより前開き可能な胴部と、
前記胴部に取り付けられた左右一対の袖部とを備える衣服であって、
前記袖部は、前記襟ぐりから前記袖部を通って袖口に至る袖オープンファスナにより開閉可能であることを特徴とする衣服。
【考案の詳細な説明】
【技術分野】
【０００１】
本考案は、着脱容易な衣服に関する。
【背景技術】
【０００２】
上半身に着る衣服は、前開き式（オープンフロントタイプ）の衣服と、被り式（プルオーバータイプの衣服に大別される。
前開き式の衣服は、襟ぐりから裾口に至るオープンファスナにより前開き可能な胴部を備えるものであり、被り式の衣服に比べて着衣・脱衣が容易で温度調節も容易といった利点を有していることから、外出着だけでなく、部屋着（ルームウエア）や寝間着（パジャマ）などとしても老若男女を問わず広く定着している。
【０００３】
前開き式の衣服は、要介護者用の部屋着・寝間着や入院患者用の患者着にも採用されることが多く、着脱容易な工夫を施したものも数多く提案されている（例えば、特許文献１〜３参照）
【先行技術文献】
【特許文献】
【０００４】
【特許文献１】実用新案登録第３２２６４９５号
【特許文献２】実用新案登録第３１５１６９２号
【特許文献３】特許第６３５２５６４号
【考案の概要】
【考案が解決しようとする課題】
【０００５】
上記のとおり、前開き式の衣服は、被り式の衣服に比べて着衣・脱衣が容易であるものの、環状を呈する袖ぐりに腕を通す必要があるため、寝たきりで腕や肩を動かすことが困難な場合や、骨折、五十肩、関節痛、筋肉痛などを患い肩や腕が硬直している場合には、衣服の着脱時に苦痛を伴うおそれがある。
【０００６】
このような観点から、本考案は、肩や腕を動かし難い状況でも、容易に着脱することが可能な衣服を提供することを課題とする。
【課題を解決するための手段】
【０００７】
本考案は、襟ぐりから裾口に至るフロントオープンファスナにより前開き可能な胴部と、前記胴部に取り付けられた左右一対の袖部とを備える衣服である。前記袖部は、前記襟ぐりから前記袖部を通って袖口に至る袖オープンファスナにより開閉可能である。
【０００８】
本考案に係る衣服は、前開き式（オープンフロントタイプ）の衣服であり、襟ぐりから裾口に至るフロントオープンファスナに加え、襟ぐりから袖部を通って袖口に至る袖オープンファスナを具備している。本考案に係る衣服によれば、袖オープンファスナを全開したときに、袖部が全長に亘って開放され、袖ぐりが非環状となることから、肩や腕を動かし難い状況であっても、容易に着脱することが可能となる。
【考案の効果】
【０００９】
本考案に係る衣服によれば、肩や腕を動かし難い状況であっても、容易に着脱することが可能となる。
【図面の簡単な説明】
【００１０】
【図１】本考案の実施形態に係る衣服を示す図であって、（ａ）は正面図、（ｂ）は背面図である。
【図２】本考案の実施形態に係る衣服においてフロントオープンファスナおよび袖オープンファスナを開いた状態を示す正面図である。
【考案を実施するための形態】
【００１１】
本考案の実施形態に係る衣服Ｃは、健常者の部屋着（ルームウエア）や寝間着（パジャマ）だけでなく、要介護者用の部屋着・寝間着や入院患者用の患者着にも好適な衣服である。
【００１２】
衣服Ｃは、図１の（ａ）および（ｂ）に示すように、胴部１と、左右一対の袖部２，２とを備えている。衣服Ｃには、襟ぐり３ａ、裾口３ｂおよび左右一対の袖口３ｃ，３ｃが形成されている。本実施形態の衣服Ｃは、長袖のワンピースである。
【００１３】
胴部１は、襟ぐり３ａから裾口３ｂに至るフロントオープンファスナ１１により前開き可能である。本実施形態の胴部１は、右前身頃１２、左前身頃１３および後身頃１４を縫い合わせて形成されている。
【００１４】
フロントオープンファスナ１１は、線ファスナであり、右前身頃１２の左縁部に縫着されたエレメント（務歯）と、左前身頃１３の右縁部に縫着されたエレメントと、両エレメントを係合させるスライダとを備えている。本実施形態のフロントオープンファスナ１１は、上下一対のスライダを備える逆開きのオープンファスナである。なお、フロントオープンファスナ１１は、一つのスライダを備える通常のオープンファスナでもよい。
【００１５】
右前身頃１２および左前身頃１３の上縁部には、襟ぐり３ａの前側部分が形成されており、右前身頃１２および左前身頃１３の下縁部には、裾口３ｂの前側部分が形成されている。また、後身頃１４の上縁部には、襟ぐり３ａの後側部分が形成されており、後身頃１４の下縁部には、裾口３ｂの後側部分が形成されている。
【００１６】
袖部２は、襟ぐり３ａから袖部２を通って袖口３ｃに至る袖オープンファスナ２１により開閉可能である。本実施形態の袖部２は、前袖２２と後袖２３とを縫い合わせて形成されている。
【００１７】
袖オープンファスナ２１は、線ファスナであり、前袖２２の上縁部（袖上）に縫着されたエレメントと、後袖２３の上縁部（袖上）に縫着されたエレメントと、両エレメントを係合させるスライダとを備えている。すなわち、袖オープンファスナ２１は、袖上に設けられている。本実施形態では、両エレメントの襟ぐり３ａ側の端部に蝶棒および箱棒が配置されており、襟ぐり３ａ側から袖口３ｃに向けてスライダを移動させると両エレメントが係合し、反対向きにスライダを移動させると両エレメントの係合が解除される。なお、両エレメントの袖口３ｃ側の端部に蝶棒および箱棒を配置してもよい。この場合には、袖口３ｃ側から襟ぐり３ａに向けてスライダを移動させると両エレメントが係合する。また、袖オープンファスナ２１は、一対のスライダを備える逆開きのオープンファスナでもよい。
【００１８】
前袖２２は、右前身頃１２または左前身頃１３の上部（袖ぐり）に縫い合わされており、前袖２２の上縁部には、襟ぐり３ａの一部が形成されている。後袖２３は、後身頃１４の上部（袖ぐり）に縫い合わされており、後袖２３の上縁部には、襟ぐり３ａの一部が形成されている。
【００１９】
以上のとおり、衣服Ｃは、襟ぐり３ａから裾口３ｂに至るフロントオープンファスナ１１を具備した前開き式（オープンフロントタイプ）であるので、被り式の衣服に比べて着衣・脱衣が容易で温度調節も容易である。さらに、衣服Ｃは、襟ぐり３ａから袖部２を通って袖口３ｃに至る袖オープンファスナ２１を具備している。このような衣服Ｃによれば、袖オープンファスナ２１を全開にしたときに、筒状を呈していた袖部２が全長に亘って開放され、袖ぐりも非環状となることから、肩や腕を動かし難い状況であっても、容易に着脱することが可能となる。
【００２０】
また、衣服Ｃは、裾口３ｂが一つであるため、両脚を別々の裾口に通す必要があるパンツに比べて着衣・脱衣が容易であり、さらに、フロントオープンファスナ１１を下側から開放することもでき、あるいは、裾を捲り上げることができるので、下半身の部分浴やシャワー浴、排泄時に衣服Ｃを脱衣する必要もない。
【００２１】
なお、本実施形態では、長袖の衣服Ｃを例示したが、半袖や七分袖としてもよい。また、衣服Ｃの着丈、裾幅、袖丈などは、衣服Ｃの用途や着衣者の体格に応じて適宜設定すればよい。
【符号の説明】
【００２２】
Ｃ    衣服
１    胴部
１１  フロントオープンファスナ
１２  右前身頃
１３  左前見頃
１４  後身頃
２    腕部
２１  腕オープンファスナ
２２  前袖
２３  後袖
３ａ  襟ぐり
３ｂ  裾口
３ｃ  袖口
【図１】
0003233336.tif 000003
【図２】
0003233336.tif 000004